(57)【要約】【課題】  送出される紙葉類が収納袋に収納されて、当該収納袋の袋口が閉塞された状態で取り出されるという手順を確実に実行できる収納ユニットを提供することである。【解決手段】  本発明に係る収納ユニットは、対向するように配置された第１部材と第２部材との間に収納袋の袋口が開口するように配置され、当該第１部材と第２部材とが当接する閉塞状態が形成されることにより当該収納袋の袋口をシーリング可能なシーリング機構と、前記第１部材と第２部材とが所定距離を有して形成される開口状態を保持するラッチ機構と、前記ラッチ機構によって保持されている開口状態を解除するレバーと、前記レバーによって前記開口状態が解除された際、前記閉塞状態を形成するように前記第１部材と第２部材とを引き寄せるバネ機構と、前記開口状態の場合、当該収納ユニットの引き出しを規制するロック機構とを備える。【選択図】  図４
2020135252.tif 000002
【特許請求の範囲】
【請求項１】
送出される紙葉類を収納袋に収納する収納ユニットであって、
対向するように配置された第１部材と第２部材との間に前記収納袋の袋口が開口するように配置され、当該第１部材と第２部材とが当接する閉塞状態が形成されることにより当該収納袋の袋口をシーリング可能なシーリング機構と、
前記第１部材と第２部材とが所定距離を有して形成される開口状態を保持するラッチ機構と、
前記ラッチ機構によって保持されている開口状態を解除するレバーと、
前記レバーによって前記開口状態が解除された際、前記閉塞状態を形成するように前記第１部材と第２部材とを引き寄せるバネ機構と、
前記開口状態の場合、当該収納ユニットの引き出しを規制するロック機構とを備える、収納ユニット。
【発明の詳細な説明】
【技術分野】
【０００１】
本発明は、紙葉類を収納袋に収納する収納ユニットに関し、より特定的には、紙葉類を収納袋に収納して当該収納袋の袋口が閉塞された状態で取り出せる収納ユニットに関する。
【背景技術】
【０００２】
一般的に、納金機（計数機）に入金された紙幣は、１枚ずつ識別されながら計数され、その後、金庫や収納袋に収納されて集金される。また、紙幣を納金機に入金する場合に限らず、例えば、自動販売機等の装置において、入金されて蓄蔵された紙幣や硬貨を集金しなければならない場合がある。
【０００３】
そこで、硬貨出金口の下に取り外し可能に取り付けられ、硬貨入出金装置が排出する硬貨を回収する回収袋が提案されている（例えば、特許文献１参照）。
【先行技術文献】
【特許文献】
【０００４】
【特許文献１】特開２０１７‐１３８９８７号公報
【発明の概要】
【発明が解決しようとする課題】
【０００５】
しかしながら、特許文献１に記載の回収袋では、当該回収袋に硬貨を収納して袋口を閉塞するという手順を確実に行わなければならず、正しい手順を実行しなければならないという煩わしさがあるとともに、万が一、誤った手順を実行してしまうというおそれもある。
【０００６】
それ故に、本発明は、上記のような課題に鑑みてなされたものであって、本発明の目的の１つは、送出される紙葉類が収納袋に収納されて、当該収納袋の袋口が閉塞された状態で取り出されるという手順を確実に実行できる収納ユニットを提供することである。
【課題を解決するための手段】
【０００７】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【０００８】
本発明の一局面に係る収納ユニットは、送出される紙葉類を収納袋に収納する収納ユニットであって、対向するように配置された第１部材と第２部材との間に前記収納袋の袋口が開口するように配置され、当該第１部材と第２部材とが当接する閉塞状態が形成されることにより当該収納袋の袋口をシーリング可能なシーリング機構と、前記第１部材と第２部材とが所定距離を有して形成される開口状態を保持するラッチ機構と、前記ラッチ機構によって保持されている開口状態を解除するレバーと、前記レバーによって前記開口状態が解除された際、前記閉塞状態を形成するように前記第１部材と第２部材とを引き寄せるバネ機構と、前記開口状態の場合、当該収納ユニットの引き出しを規制するロック機構とを備える。
【０００９】
また、上述した本発明の一局面に係る収納ユニットが行うそれぞれの処理は、一連の処理手順を与える収納方法として捉えることができる。この方法は、一連の処理手順をコンピュータに実行させるためのプログラムの形式で提供されても構わない。このプログラムは、所定のサーバからダウンロードする形態で、プログラムが格納された所定のサーバにインターネット経由でアクセスする形態で、もしくはコンピュータで読み取り可能な記録媒体に記録された形態で、コンピュータに導入されてもよい。また、上述した本発明の一局面に係る収納ユニットを構成する一部又は全部の機能ブロックは、集積回路であるＬＳＩ（Ｌａｒｇｅ−Ｓｃａｌｅ  Ｉｎｔｅｇｒａｔｉｏｎ）等として実現されてもよい。
【発明の効果】
【００１０】
以上のように、本発明によれば、送出される紙葉類が収納袋に収納されて、当該収納袋の袋口が閉塞された状態の収納袋を取り出すという手順を確実に実行する収納ユニットを実現することができる。
【図面の簡単な説明】
【００１１】
【図１】本発明の一実施形態に係る収納ユニット１００が用いられている様子を示す概要図である。
【図２】本発明の一実施形態に係る収納ユニット１００におけるシーリング機構１１０の開口状態と閉塞状態とを示す図である。
【図３】本発明の一実施形態に係る収納ユニット１００におけるラッチ機構１２０およびバネ機構１４０の詳細を示す拡大図である。
【図４】本発明の一実施形態に係る収納ユニット１００を用いて、収納袋２００に紙幣を収納する様子を示す図である。
【図５】本発明の一実施形態に係る収納ユニット１００におけるロック機構１５０の詳細を示す拡大図である。
【発明を実施するための形態】
【００１２】
以下、本発明の一実施形態について、図面を参照しながら具体的に説明する。なお、以下で説明する実施形態は、あくまで、本発明を実施するための具体的な一例を挙げるものであって、本発明を限定的に解釈させるものではない。
【００１３】
図１は、本発明の一実施形態に係る収納ユニット１００が用いられている様子を示す概要図である。図１において、納金機（計数機）３００に入金された紙幣は、金庫４００に送出される。その際、金庫４００内部に収納袋２００を配置した収納ユニット１００を用いることにより、紙幣を収納袋２００に収納し、当該収納袋２００を取り出せるようにしている。
【００１４】
図２は、本発明の一実施形態に係る収納ユニット１００におけるシーリング機構１１０の開口状態と閉塞状態とを示す図である。収納ユニット１００は、シーリング機構１１０と、ラッチ機構１２０と、袋保持部１３０とを備える。なお、シーリング機構１１０は、対向するように配置された第１部材１１１と第２部材１１２とで構成されている。
【００１５】
図２（Ａ）において、シーリング機構１１０は、第１部材１１１と第２部材１１２とが所定距離を有して配置されることによって開口状態を形成しており、ラッチ機構１２０によって当該開口状態を保持している。開口状態において、袋保持部１３０によって収納袋２００を袋口が開口するように配置されることになる。
【００１６】
図２（Ｂ）において、シーリング機構１１０は、第１部材１１１と第２部材１１２とが当接することによって閉塞状態を形成している。開口状態において上述したように収納袋２００の袋口が開口するように配置されていれば、閉塞状態において当該袋口はシーリングされることになる。
【００１７】
シーリングは、テープを備える収納袋２００を用いて、当該テープで収納袋２００の袋口が閉じられるようにしている。ただし、これに限定されるものではなく、第１部材１１１と第２部材１１２とが当接することにより収納袋２００の袋口をシーリングすることができれば、例えば、熱融着や圧着などの手段を用いても構わない。
【００１８】
ここで、シーリング機構１１０が開口状態から閉塞状態に移行する仕組みを、より詳細に説明する。図３は、本発明の一実施形態に係る収納ユニット１００におけるラッチ機構１２０およびバネ機構１４０の詳細を示す拡大図である。
【００１９】
第２部材１１２がラッチ機構１２０におけるラッチ部材１２２に保持されることによって開口状態が保持されているが、レバー１２１が操作されることにより、第２部材１１２を保持しているラッチ部材１２２が解除される。
【００２０】
そうすれば、バネ機構１４０におけるバネ部材１４１によって第２部材１１２が第１部材１１１に引き寄せられるように移動し、その結果、第２部材１１２が第１部材１１１に当接して閉塞状態を形成することになる。なお、バネ部材１４１は、典型的にはコンストンバネである。
【００２１】
図４は、本発明の一実施形態に係る収納ユニット１００を用いて、収納袋２００に紙幣を収納する様子を示す図である。
【００２２】
（Ａ）金庫４００内に配置されている収納ユニット１００を引き出す。この際、シーリング機構１１０は閉塞状態であり、シーリング機構１１０が開口状態である場合には収納ユニット１００は引き出せないようにロック機構によってロックされている。
【００２３】
ここで、ロック機構の詳細について詳しく説明する。図５は、本発明の一実施形態に係る収納ユニット１００におけるロック機構１５０の詳細を示す拡大図である。開口状態において収納ユニット１００が金庫４００から引き出される方向に移動できないように、第２部材１１２がロック部材１５１によって規制されている。
【００２４】
換言すれば、第２部材１１２が第１部材１１１の方向へ移動すれば、当該ロック部材１５１による規制が解除され、収納ユニット１００が金庫４００から引き出される方向に移動できるようになる。収納ユニット１００が金庫４００から引き出される方向に押し出すようにバネ部材１５２が配置されていることが好ましい。バネ部材１５２は、典型的には、コイルバネであり、収納ユニット１００が金庫４００からスムーズに引き出されるようにしている。
【００２５】
（Ｂ）第２部材１１２を第１部材１１１から引き離してシーリング機構１１０を開口状態にし、ラッチ機構１２０によって第２部材１１２を保持して、当該開口状態を維持する。
【００２６】
（Ｃ）収納袋２００を袋口が開口するように収納ユニット１００が配置する。
【００２７】
（Ｄ）収納袋２００が配置されてシーリング機構１１０が開口状態のまま、収納ユニット１００を金庫４００内に押し込む。
【００２８】
（Ｅ）金庫４００内の適正な位置に収納ユニット１００が設置される。ここで適正な位置とは、納金機３００から送出される紙幣が開口した収納袋２００の袋口に送入される位置である。そして、収納ユニット１００は、当該適正な位置において、ロック機構１５０によってロックされ、引き出されないようになっている。
【００２９】
この状態で、納金機３００から送出される紙幣が収納袋２００に収納される。その後、シーリング機構１１０を開口状態から閉塞状態にすることによって、収納袋２００の袋口を閉塞する。
【００３０】
（Ｆ）金庫４００内でシーリング機構１１０が閉塞状態である収納ユニット１００を金庫４００内から引き出す。そして、紙幣が収納されている収納袋２００を、袋口が閉塞された状態で取り出すことができる。
【００３１】
以上のように、本発明の一実施形態に係る収納ユニット１００によれば、納金機３００から送出される紙幣が収納袋２００に収納されて、当該収納袋２００の袋口が閉塞された状態の収納袋２００を取り出すという手順を確実に実行することができる。
【００３２】
図５を用いて説明したように、ロック機構１５０により、収納袋２００の袋口を閉塞しない状態では、収納ユニット１００を引き出すことができないため、収納袋２００に紙幣を収納した後、袋口が開口したままの状態で当該収納袋２００を取り出すことができない。万が一、誤った手順を実行しようとしても、紙幣がこぼれ落ちる等の重大な事態は回避できるため、安全性が確保できていると言える。
【００３３】
なお、本実施形態では、納金機３００から送出される紙幣を収納袋２００に収納するものとしたが、これに限定されるものではなく、自動販売機や遊戯機等に蓄蔵される紙幣でも構わない。
【００３４】
また、収納袋２００に収納する対象は、紙幣に限定されるものではなく、チケットや金券等の紙葉類であれば何でもよく、さらには、硬貨やメダル等のコイン類であっても構わない。
【００３５】
以上、本発明の一実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００３６】
本発明は、納金機等から送出される紙幣を収納袋に収納する場面に利用可能であって、特に、納金機、計数機、紙葉類集積装置、遊戯機、および自動販売機等に用いる収納ユニット等に有用である。
【符号の説明】
【００３７】
１００  収納ユニット
１１０  シーリング機構
１１１  第１部材
１１２  第２部材
１２０  ラッチ機構
１２１  レバー
１２２  ラッチ部材
１３０  袋保持部
１４０  バネ機構
１４１  バネ部材（コンストンバネ）
１５０  ロック機構
１５１  ロック部材
１５２  バネ部材（コイルバネ）
２００  収納袋
３００  納金機（計数機）
４００  金庫
【図１】
2020135252.tif 000003
【図２】
2020135252.tif 000004
【図３】
2020135252.tif 000005
【図４】
2020135252.tif 000006
【図５】
2020135252.tif 000007